(57)【要約】【課題】ＣＤまたはＭＤをそれぞれ所定の搬送機構側へ確実かつスムーズに誘導することができる信頼性の高いディスク装置を得ることにある。【解決手段】ＣＤ搬送機構３の前部に位置するＣＤ導入口１３とＭＤ搬送機構４の前部に位置するＭＤ導入口１２とを上下方向に仕切り形成するＣＤガイド部材９に、前記ＭＤ導入口１２を閉塞する方向の付勢力を有するＭＤ／ＣＤガイド部材８を回動自在に取り付け、このＭＤ／ＣＤガイド部材８を前記付勢力で前記ＭＤ導入口１２の全閉位置に保持させ、そのＭＤ／ＣＤガイド部材８がＭＤ２４の挿入時にＭＤ２４の先端で押圧されてＭＤ導入口１２の開放方向に回動させられながら該ＭＤ導入口１２にＭＤ２４先端部を誘導するように構成した。【選択図】        図１
2004213827.tif 000002
【特許請求の範囲】
【請求項１】
ＣＤとＭＤ兼用のディスク挿入口を有するフロントパネルを備えた筐体内にＣＤ搬送機構とＭＤ搬送機構を積層状に配置し、そのＣＤ搬送機構の前部に位置するＣＤ導入口とＭＤ搬送機構の前部に位置するＭＤ導入口とを上下方向に仕切り形成するＣＤガイド部材を備えたディスク装置において、前記ＣＤガイド部材には、前記ＭＤ導入口を閉塞する方向の付勢力を有するＭＤ／ＣＤガイド部材を回動自在に取り付け、このＭＤ／ＣＤガイド部材を前記付勢力で前記ＭＤ導入口の全閉位置に保持させ、そのＭＤ／ＣＤガイド部材がＭＤ挿入時のＭＤ先端で押圧されて前記ＭＤ導入口の開放方向に回動しながら該ＭＤ導入口にＭＤを誘導するように構成したことを特徴とするディスク装置。
【請求項２】
ＭＤ／ＣＤガイド部材の両端側には、その前方に突出し、ディスク挿入口から挿入したＭＤの先端が当接してＭＤ／ＣＤガイド部材をＭＤ導入口の開放方向に回動させながら前記ＭＤの先端部を前記ＭＤ導入口に誘導するガイド突片部が設けられていることを特徴とする請求項１記載のディスク装置。
【請求項３】
ガイド突片部の先端には、ＣＤ導入口の方向に向かって略く字状に屈曲傾斜し、ディスク挿入口から挿入されたＭＤの先端が当接してＭＤ／ＣＤガイド部材をＭＤ導入口の開放方向に回動させながら前記ＭＤの先端部を前記ガイド突片部を介して前記ＭＤ導入口の方向に誘導する先端ガイド片部が形成されていることを特徴とする請求項２記載のディスク装置。
【請求項４】
ＭＤ／ＣＤガイド部材の両ガイド突起の間には、そのＭＤ／ＣＤガイド部材がＭＤ導入口を全閉している状態でＣＤの挿入方向先端部を当接させてＣＤ導入口に誘導する方向に傾斜したＣＤ誘導部が形成されていることを特徴とする請求項２または請求項３記載のディスク装置。
【発明の詳細な説明】
【０００１】
【発明の属する技術分野】
この発明は、ＣＤとＭＤを選択的に再生可能なディスク装置に関し、特にディスク搬送機構へのディスク導入部を改良したディスク装置に係わるものである。
【０００２】
【従来の技術】
従来の例えば車載用のディスク装置は、ＣＤとＭＤ兼用のディスク挿入口を有するフロントパネルを備えた筐体内にＣＤ搬送機構とＭＤ搬送機構を積層状に配置している。この場合、ＣＤ搬送機構の上側にＭＤ搬送機構を配置しており、その配置によってディスク装置の薄型化を図っている。そして、ＣＤ搬送機構の前部には、フロントパネルの裏側でディスク挿入口に対応する部位にＣＤガイド部材を配置している。このＣＤガイド部材は、上部にＭＤ導入口を、かつ下部にＣＤ導入口を仕切り形成するもので、そのＣＤガイド部材にはＭＤ／ＣＤガイド部材が上下方向へ回動自在に取り付けられている。このＭＤ／ＣＤガイド部材は、上部のＭＤ導入口を狭める方向に付勢され、ＭＤ挿入時にはＭＤの先端で当接回動させられてＭＤ導入口を広げるようになっている。かかるＭＤ／ＣＤガイド部材は、ＭＤやＣＤのディスク非挿入時には、ＭＤ導入口の半開き位置に保持されるようになっている。
【０００３】
すなわち、フロントパネルのディスク挿入口からＭＤを挿入すると、そのＭＤの先端がＭＤ／ＣＤガイド部材に当接して該ＭＤ／ＣＤガイド部材をＭＤ導入口が広がる方向に回動させながら、そのＭＤ／ＣＤガイド部材によってＭＤがＭＤ導入口に誘導挿入される。ＭＤの非挿入時において、ＭＤ／ＣＤガイド部材は、付勢力による回動変位により、ＭＤ導入口を狭めて該ＭＤ導入口の半開き位置でＣＤ導入口を遮らない退避位置に保持される。したがって、その状態では、フロントパネルのディスク挿入口からＣＤ導入口に向かってＣＤ挿入が可能となる。
【０００４】
なお、従来のこの種のディスク装置として、一台でＣＤとＭＤカートリッジを選択的に再生できる構成のものは既に知られている（例えば、特許文献１参照）。
【０００５】
【特許文献１】
特開平１１−１８５３４６号公報
【０００６】
【発明が解決しようとする課題】
従来のディスク装置は以上のように構成されているので、ＣＤ搬送機構の上側にＭＤ搬送機構を配置して装置全体の薄型を図っているが、その搬送機構の前部に配置したＭＤ／ＣＤガイド部材は、ＭＤ導入口を狭める方向に付勢されてＭＤを挿入時にＭＤ導入口へ誘導するだけであって、ＣＤ挿入時の誘導機能を有しておらず、しかも、前記ＭＤ／ＣＤガイド部材は、ＣＤ挿入時にＭＤ導入口の半開き位置に保持されるため、例えばＣＤをフロントパネルのディスク挿入口から斜め上向きに挿入した場合、そのＣＤの先端がＭＤ搬送機構側に侵入して該ＭＤ搬送機構の部品に引っ掛かり、ＣＤの挿入不良が生じるという課題があった。また、また、ＭＤをフロントパネルのディスク挿入口から斜め下向きに挿入した場合には、そのＭＤ先端がＭＤ／ＣＤガイド部材の先端に略垂直に当接したままとなってＭＤ導入口に誘い込めなくなり、ＭＤ／ＣＤガイド部材によるＭＤの誘導性が損なわれるという課題があった。
【０００７】
この発明は上記のような課題を解決するためになされたもので、ＣＤまたはＭＤをそれぞれ所定の搬送機構側へ確実かつスムーズに誘導することができる信頼性の高いディスク装置を得ることを目的とする。
【０００８】
また、この発明は、ＣＤ挿入時にＭＤ導入口が閉塞されてＣＤがＭＤ搬送機構側に誤挿入されることがなく、しかも１つのＭＤ／ＣＤガイド部材によって、ＣＤとＭＤを所定の搬送機構側へ確実かつスムーズに誘導することができるディスク装置を得ることを目的とする。
【０００９】
【課題を解決するための手段】
この発明に係るディスク装置は、ＣＤとＭＤ兼用のディスク挿入口を有するフロントパネルを備えた筐体内にＣＤ搬送機構とＭＤ搬送機構を積層状に配置し、そのＣＤ搬送機構の前部に位置するＣＤ導入口とＭＤ搬送機構の前部に位置するＭＤ導入口とを上下方向に仕切り形成するＣＤガイド部材に、前記ＭＤ導入口を閉塞する方向の付勢力を有するＭＤ／ＣＤガイド部材を回動自在に取り付け、このＭＤ／ＣＤガイド部材を前記付勢力で前記ＭＤ導入口の全閉位置に保持させ、そのＭＤ／ＣＤガイド部材がＭＤ挿入時のＭＤ先端で押圧されて前記ＭＤ導入口の開放方向に回動しながら該ＭＤ導入口にＭＤを誘導するように構成したものである。
【００１０】
この発明に係るディスク装置は、ＭＤ／ＣＤガイド部材の両端側に、その前方に突出し、ディスク挿入口から挿入したＭＤの先端が当接してＭＤ／ＣＤガイド部材をＭＤ導入口の開放方向に回動させながら前記ＭＤの先端部を前記ＭＤ導入口に誘導するガイド突片部を設けたものである。
【００１１】
この発明に係るディスク装置のガイド突片部の先端には、ＣＤ導入口の方向に向かって略く字状に屈曲傾斜し、ディスク挿入口から挿入されたＭＤの先端が当接してＭＤ／ＣＤガイド部材をＭＤ導入口の開放方向に回動させながら前記ＭＤの先端部を前記ガイド突片部を介して前記ＭＤ導入口の方向に誘導する先端ガイド片部が形成されているものである。
【００１２】
この発明に係るディスク装置は、ＭＤ／ＣＤガイド部材の両ガイド突起の間に、そのＭＤ／ＣＤガイド部材がＭＤ導入口を全閉している状態でＣＤの挿入方向先端部を当接させてＣＤ導入口に誘導する方向に傾斜したＣＤ誘導部を形成したものである。
【００１３】
【発明の実施の形態】
以下、この発明の実施の一形態を説明する。
実施の形態１．
図１はこの発明の実施の形態１による車載用のディスク装置の要部を示す斜視図、図２は図１のディスク装置前部の部分的な拡大断面図、図３は図１のディスク装置前部の部分的な平面図、図４は図３の一部切欠正面図、図５は図１中のＣＤガイド部材とＭＤ／ＣＤガイド部材との関連構成を説明するための平面図である。
図１において、上面側フレーム１と下面側フレーム２との間には、図２に示すようにＣＤ搬送機構３とＭＤ搬送機構４とを積層状に配置している。この場合、ＣＤ搬送機構３の上側にＭＤ搬送機構４を配置している。
【００１４】
ＭＤ搬送機構４は、ＭＤを挟み込む位置にスライド可能に配置されたＭＤ引き込み部材５と、このＭＤ引き込み部材５が所定の姿勢でスライドしてガイドすることでＭＤの姿勢を規制するＭＤホルダー６と、このＭＤホルダー６を保持してＭＤを再生／排出位置に昇降するユニット支持部材７と、これらの前側に配置されてＭＤをＭＤホルダー６に誘い込むＭＤ／ＣＤガイド部材８と、このＭＤ／ＣＤガイド部材８を回動自在に支持する前側のＣＤガイド部材９と、前記上面側フレーム１の前端側両側に固定配置されて前記ＣＤガイド部材９を回動自在に支持する左右のディスクガイド１０，１１とを備えた構成となっている。
【００１５】
ここで、ＭＤ／ＣＤガイド部材８とＣＤガイド部材９とディスクガイド１０，１１との関連構成について、さらに詳しく説明する。
まず、左右のディスクガイド１０，１１は、上面側フレーム１の前部下面の両端側に間隔Ｌ１（図４参照）で固着され、その間隔Ｌ１はＭＤのみが挿入可能な幅狭間隔に設定されている。また、前記ディスクガイド１０，１１の非対向面側の端部には垂下片部（ＣＤガイド片部）１０ａ，１１ａが一体形成されており、その垂下片部部１０ａ，１１ａの間隔Ｌ２は、ＣＤ挿入が可能な幅広間隔に設定されている。
【００１６】
そして、前記両ディスクガイド１０，１１に跨ってＣＤガイド部材９が回動自在に支持されている。このＣＤガイド部材９は、図４に示すように、上部にＭＤ導入口１２を、かつ下部にＣＤ導入口１３を仕切り形成している。上部のＭＤ導入口１２は、左右のディスクガイド１０，１１間で上面側フレーム１の前端部下面とＣＤガイド部材９の上面との間に形成され、下部のＣＤ導入口１３は、左右のディスクガイド１０，１１のそれぞれの垂下片部１０ａ，１１ａ間で前記ＣＤガイド部材９の下面側に形成されている。
【００１７】
かかるＣＤガイド部材９は、その両端側上面が左右のディスクガイド１０，１１の下面に当接する方向の付勢力を有し、その付勢力によって前記ディスクガイド１０，１１の下面に当接している。したがって、前記ＣＤガイド部材９は、上部のＭＤ導入口１２を広げる方向に回動可能となっている。そして、前記ＣＤガイド部材９の前端側に前記ＭＤ／ＣＤガイド部材８の両端部が回動自在に支持されている。そのＭＤ／ＣＤガイド部材８は前記ＭＤ導入口１２を開閉するものである。ここで、前記ＣＤガイド部材９は、前端側中央に凹欠部９ａ（図３中の破線および図５参照）を有しており、この凹欠部９ａにＭＤ／ＣＤガイド部材８が嵌め込まれて該ＭＤ／ＣＤガイド部材８の両端部がＣＤガイド部材９に回動自在に支持されている。
【００１８】
このようにして、ＣＤガイド部材９に回動自在に支持されたＭＤ／ＣＤガイド部材８は、上部のＭＤ導入口１２を閉塞する方向の付勢力を有し、その付勢力でＭＤ／ＣＤガイド部材８の前縁部（自由端）が上面側フレーム１の前端部に当接して前記ＭＤ導入口１２の全閉位置に保持されている。
【００１９】
また、ＭＤ／ＣＤガイド部材８の前縁部の両端側には、前方斜め下方に向かって突出するガイド突片８ａが一体形成されている。このガイド突片部８ａの先端側には、該ガイド突片部８ａ先端から所定の屈曲角度で下方に向かって延出する先端ガイド片部８ｂが形成されている。したがって、前記ガイド突片部８ａと先端ガイド片部８ｂは略く字状に屈曲形成され、その先端ガイド片部８ｂに当接したＭＤの先端部を前記ガイド突片部８ａ上に移行させて上部のＭＤ導入口１２に誘導するようになっている。
【００２０】
かかるＭＤ／ＣＤガイド部材８において、その両端側のガイド突片部８ａ間にはＣＤ誘導部８ｃが形成されている。このＣＤ誘導部８ｃは、ＭＤ／ＣＤガイド部材８の前端側に折り返し形成されて該ＭＤ／ＣＤガイド部材８の下面に沿っており、ＭＤ／ＣＤガイド部材８が付勢力でＭＤ導入口１２を閉塞（ＭＤ／ＣＤガイド部材８の前端部が上面側フレーム１の前端に当接）した状態では、ＣＤ誘導部８ｃに当接したＣＤをＣＤ導入口１３に誘導する方向へ傾斜するように形成されている。
【００２１】
一方、ＣＤ搬送機構３は、前記ＭＤ搬送機構４と一部の部品を兼用しているもので、前記ＭＤ／ＣＤガイド部材８と、このＭＤ／ＣＤガイド部材８により下部のＣＤ導入口１３に導入されたＣＤを所定の再生位置に搬送し、また再生位置のＣＤを排出方向に搬送する昇降可能なＣＤ搬送部材１４と、ＣＤを挟んで前記ＣＤ搬送部材１４に対向配置された前記ＭＤホルダー６と、このＭＤホルダー６の構成部品である奥側ＣＤガイド部材６ａ及び前記ＣＤ搬送部材１４を支持してＣＤ挿排時にＣＤ搬送部材１４を上昇させてＣＤを押圧し搬送力を与えると共にＣＤがターンテーブル（図示せず）にクランプするのに合わせてＣＤ搬送部材１４を下降待避させるベースローラ（ＣＤ搬送部材１４の支持部材）１５等とを備えた構成となっている。
【００２２】
以上のように構成されたＣＤ搬送機構３とＭＤ搬送機構４を有するディスク再生装置は、前面に意匠性のフロントパネル２０（図２参照）を有する筐体（図示せず）に内蔵される。そのフロントパネル２０にはＣＤとＭＤ兼用のディスク挿入口２１が設けられている。このディスク挿入口２１において、ＣＤ挿入口の部位はＭＤ挿入口の部位より幅広に形成されている。
【００２３】
また、前記フロントパネル２０におけるディスク挿入口２１の後部にはディスク挿入ガイド２２が設けられている。このディスク挿入ガイド２２は、前記ディスク挿入口２１から挿入されたＣＤまたはＭＤをディスク再生装置に対応した高さ・傾きに規制するようになっている。
【００２４】
次に動作について説明する。図６，図７はＣＤ挿入時の動作説明図である。
ＣＤまたはＭＤの非挿入時には、ＭＤ／ＣＤガイド部材８が付勢力でＭＤ導入口１２を閉塞した状態にある。この状態において、ＣＤ２３を図６の実線で示すように斜め上向きにしてフロントパネル２０のディスク挿入口２１から挿入すると、そのＣＤ２３は挿入方向先端がＣＤ導入口１３上部のＭＤ導入口１２に向かうが、このＭＤ導入口１２は上述のようにＭＤ／ＣＤガイド部材８で閉塞されているため、ＣＤ２３の挿入方向先端は、ＭＤ／ＣＤガイド部材８の両ガイド突片部８ａ間のＣＤ誘導部８ｃに当接する。このときのＣＤ誘導部８ｃは、これに当接したＣＤ２３の挿入方向先端を下部のＣＤ導入口１３に向かって誘導する方向に傾斜しているので、その誘導によって、前記ＣＤ２３は、図６の一点鎖線で示すように水平姿勢に近づきながらＣＤ導入口１３に移行させられ、図７に示すように、そのＣＤ導入口１３から所定のＣＤ搬送機構３側へスムーズに挿入される。
【００２５】
図８，図９はＭＤ挿入時の動作説明図であり、同図を参照しながらＭＤ挿入動作について説明する。
ＭＤ／ＣＤガイド部材８が付勢力でＭＤ導入口１２を閉塞した状態において、ＭＤ２４を図８に示すように斜め下向きにしてフロントパネル２０のディスク挿入口２１から挿入すると、そのＭＤ２４は挿入方向先端がＭＤ導入口１２下部のＣＤ導入口１３に向かうが、ディスク挿入ガイド２２を通過してＣＤ導入口１３に向かいＭＤ２４の進入経路にはＭＤ／ＣＤガイド部材８の先端ガイド片部８ｂが突出しているので、その先端ガイド片部８ｂに前記ＭＤ２４の挿入方向先端が当接する。そのＭＤ２４の挿入方向先端でＭＤ／ＣＤガイド部材８の先端ガイド片部８ｂが押圧されることにより、ＭＤ／ＣＤガイド部材８が付勢力に抗して先端ガイド片部８ｂの下降方向に回動してＭＤ導入口１２が開かれる（図９参照）。
【００２６】
そして、図１０に示すように、ＭＤ／ＣＤガイド部材８が付勢力に抗した回動限界位置まで回動する過程で、その先端ガイド片部８ｂに当接していたＭＤ２４の先端がＭＤ／ＣＤガイド部材８のガイド突片部８ａに移行することにより、そのガイド突片部８ａでＭＤ２４の先端がＭＤ導入口１２に誘い込まれる。すなわち、上述のようにＭＤ／ＣＤガイド部材２４が付勢力に抗した回動限界位置すると、そのガイド突片部８ａがＭＤ導入口１２の全開位置で斜め下方に向かって傾斜した状態に保持され、そのガイド突片部８ａの傾斜面に沿ってＭＤ２４の先端がＭＤ導入口１２に誘い込まれるため、ＭＤ２４は図１１に示すように水平姿勢に近づきながらＭＤ導入口１２から所定のＭＤ搬送機構４側へスムーズに挿入される。
【００２７】
以上説明した実施の形態１によれば、フロントパネル２０の裏側でディスク挿入口２１に対応する部位に配置され、上部にＭＤ導入口１２を且つ下部ＣＤ導入口１３仕切り形成するＣＤガイド部材９の前端側に、前記ＭＤ導入口１２を開閉するＭＤ／ＣＤガイド部材８を回動自在に取り付け、このＭＤ／ＣＤガイド部材８を前記ＭＤ導入口１２の全閉位置に常時付勢し、その全閉位置ではＭＤ／ＣＤガイド部材８がＣＤ２３を下部のＣＤ導入口１３に導入するように構成したので、ＣＤ・ＭＤ兼用のディスク挿入口２１からＣＤ２３がＭＤ導入口１２の方向に斜めに挿入されても、そのＣＤ２３の挿入方向をＭＤ／ＣＤガイド部材８によってＣＤ導入口１３の方向に是正することができ、このため、ＣＤ２３の誤挿入を確実に防止することができる。
【００２８】
また、上記実施の形態１によれば、ＭＤ／ＣＤガイド部材８の両端側に前方斜め下方へ緩やかに傾斜して突出する左右のガイド突片部８ａを形成し、これらのガイド突片部８ａの先端側には、ＭＤ／ＣＤガイド部材８がＭＤ導入口１２を全閉している状態でＣＤ導入口１３の前方にて略く字状に屈曲する先端ガイド片部８ｂを形成したので、その先端ガイド片部８ｂにＭＤ２４の先端を当接させてＭＤ／ＣＤガイド部材８をＭＤ導入口１２の開放方向にスムーズに回動させながらＭＤ２４の先端を前記先端ガイド片部８ｂからガイド突片部８ａに移行させてＭＤ導入口１２に誘導することができ、このため、ＭＤ２４がＣＤ導入口１３の方向へ斜め下向きに挿入された場合でも、その挿入方向をＭＤ導入口１２の方向に是正することができてＭＤ２４の誤挿入を確実に防止することができるという効果がある。
【００２９】
さらに、上記実施の形態１によれば、ＭＤ／ＣＤガイド部材８の前端縁部における両ガイド突片部８ａの間にＣＤ導入口１３の内部方向に向かって傾斜するＣＤ誘導部８ｃを折り返し形成したので、ＣＤ２３がＭＤ導入口１２の方向に向かって斜め上向きに挿入された場合であっても、そのＣＤ２３の挿入方向先端部が前記ＣＤ誘導部８ｃに当接し該ＣＤ誘導部８ｃの傾斜面に沿ってＣＤ導入口１３に誘い込まれることにより、前記ＣＤ２３の挿入方向を是正することができ、このため、ＣＤ２３の誤挿入を確実に防止することができるという効果がある。
【００３０】
実施の形態２．
上記実施の形態１では、ＭＤ／ＣＤガイド部材８の前端縁部における両ガイド突片部８ａの間にＣＤ誘導部８ｃを折り返し形成したが、平板状のＭＤ／ＣＤガイド部材８は、ＭＤ導入口１２の全閉位置では、そのＭＤ導入口１２の方向へ斜め上向きに挿入されたＣＤ２３の挿入方向先端部をＣＤ導入口１３に誘導する方向へ必然的に傾斜した姿勢となるので、ＭＤ／ＣＤガイド部材８の両ガイド突片部８ａ間の傾斜面部を前記ＣＤ誘導部８ｃとして兼用してもよい。
【００３１】
【発明の効果】
以上のように、この発明によれば、ＣＤ搬送機構の前部に位置するＣＤ導入口とＭＤ搬送機構の前部に位置するＭＤ導入口とを上下方向に仕切り形成するＣＤガイド部材に、前記ＭＤ導入口を閉塞する方向の付勢力を有するＭＤ／ＣＤガイド部材を回動自在に取り付け、このＭＤ／ＣＤガイド部材を前記付勢力で前記ＭＤ導入口の全閉位置に保持させ、そのＭＤ／ＣＤガイド部材がＭＤ挿入時のＭＤ先端で押圧されてＭＤ導入口の開放方向に回動させられながら該ＭＤ導入口にＭＤ先端部を誘導するように構成したので、本来はＭＤ導入口に挿入すべきＭＤがＣＤ導入口の方向へ斜めに挿入された場合であっても、その挿入方向をＭＤ導入口の方向に是正することができ、ＭＤの誤挿入を確実に防止することができて信頼性が向上するという効果がある。
【図面の簡単な説明】
【図１】この発明の実施の形態１による車載用のディスク装置の要部を示す斜視図である。
【図２】図１のディスク装置前部の部分的な拡大断面図である。
【図３】図１のディスク装置前部の部分的な平面図である。
【図４】図３の一部切欠正面図である。
【図５】図１中のＣＤガイド部材とＭＤ／ＣＤガイド部材との関連構成を説明するための平面図である。
【図６】ＣＤ挿入時の動作説明図である。
【図７】ＣＤ挿入時の動作説明図である。
【図８】ＭＤ挿入時の動作説明図である。
【図９】ＭＤ挿入時の動作説明図である。
【図１０】ＭＤ挿入時の動作説明図である。
【図１１】ＭＤ挿入時の動作説明図である。
【符号の説明】
１  上面側フレーム、２  下面側フレーム、３  ＣＤ搬送機構、４  ＭＤ搬送機構、５  ＭＤ引き込み部材、６  ＭＤホルダー、７  ユニット支持部材、８  ＭＤ／ＣＤガイド部材、９  ＣＤガイド部材、９ａ  凹欠部、１０，１１  ディスクガイド、１０ａ，１１ａ  垂下片部、１２  ＭＤ導入口、１３  ＣＤ導入口、１４  ＣＤ搬送部材、１５  ベースローラ（ＣＤ搬送部材の支持部材）、２０フロントパネル、２１  ディスク挿入口、２２  ディスク挿入ガイド、２３  ＣＤ、２４  ＭＤ。
【図１】
2004213827.tif 000003
【図２】
2004213827.tif 000004
【図３】
2004213827.tif 000005
【図４】
2004213827.tif 000006
【図５】
2004213827.tif 000007
【図６】
2004213827.tif 000008
【図７】
2004213827.tif 000009
【図８】
2004213827.tif 000010
【図９】
2004213827.tif 000011
【図１０】
2004213827.tif 000012
【図１１】
2004213827.tif 000013